(57)【要約】      （修正有）【課題】コンテンツを再生中に、ユーザが視聴エリアを一旦離れた後、視聴エリアに戻り、続きを視聴する場合にも、再生位置を探してからの再生操作が必要であった。人を検知するセンサを利用して、コンテンツにチャプタを作成し、チャプタを利用して、再生位置のユーザへの提示の方法を工夫し、使い勝手を向上させる。【解決手段】コンテンツが入力される入力部と、コンテンツの再生位置を記録する再生位置記録部と、コンテンツを表示する表示部と、所定の範囲の人の存否を判定するセンサと、前記センサの判定に基づいて前記所定の範囲に人がいない期間を計測するタイマとを備え、前記センサが所定の範囲に人がいないと判定した場合に、再生しているコンテンツの再生位置を前記再生位置記録部において記録し、前記タイマで測定した期間に応じて、前記再生位置記録部に記録された再生位置からの当該コンテンツの再生開始を促す表示の有無を制御する。【選択図】図１
2012029019.tif 000002
【特許請求の範囲】
【請求項１】
コンテンツの再生を制御するコンテンツ再生装置であって、
コンテンツが入力される入力部と、
コンテンツの再生位置を記録する再生位置記録部と、
コンテンツを表示する表示部と、
所定の範囲の人の存否を判定するセンサと、
前記センサの判定に基づいて前記所定の範囲に人がいない期間を計測するタイマとを備え、
前記センサが所定の範囲に人がいないと判定した場合に、再生しているコンテンツの再生位置を前記再生位置記録部において記録し、前記タイマで測定した期間に応じて、前記再生位置記録部に記録された再生位置からの当該コンテンツの再生開始を促す表示の有無を制御するコンテンツ再生装置。
【請求項２】
請求項１のコンテンツ再生装置であって、
前記タイマで測定した期間が所定の閾値よりも短い場合には、前記再生位置記録部に記録された位置からの当該コンテンツの再生開始を促す表示は行わないコンテンツ再生装置。
【請求項３】
請求項１のコンテンツ再生装置であって、
前記タイマで測定した期間が所定の閾値よりも長い場合には、前記再生位置記録部に記録された位置からの再生開始を促す表示を行うコンテンツ再生装置。
【請求項４】
請求項１のコンテンツ再生装置であって、
前記タイマで測定した期間が所定の閾値よりも長い場合には、再生しているコンテンツの再生を停止するコンテンツ再生装置。
【請求項５】
コンテンツの再生を制御する装置であって、
コンテンツが入力される入力部と、
再生しているコンテンツの再生位置を記録する再生位置記録部と、
コンテンツを表示する表示部と、
所定の範囲の人の存否を判定するセンサとを備え、
前記センサで所定の範囲の人がいないと判定した場合に、再生しているコンテンツの再生位置を前記再生位置記録部において記録し、当該コンテンツの再生状態に応じて、前記再生位置記録部に記録された再生位置からの再生開始を促す表示を制御するコンテンツ再生装置。
【請求項６】
請求項５のコンテンツ再生装置であって、
前記再生制御部の再生状態が一時停止の状態であって前記センサが所定の範囲に人がいないと判定した場合に、前記表示部の表示を消すコンテンツ再生装置。
【請求項７】
請求項１または５のコンテンツ再生装置であって、
前記再生位置記録部において記録するコンテンツの再生位置は、前記センサで所定の範囲に人がいないと判定したときから所定の期間前であるコンテンツ再生装置。
【請求項８】
請求項１または５のコンテンツ再生装置であって
コンテンツのジャンルを判定するジャンル判定部を備え、
前記センサで所定の範囲に人がいないと判定した場合に、再生しているコンテンツのジャンルに応じて再生しているコンテンツを停止するコンテンツ再生装置。
【請求項９】
請求項１または５のコンテンツ再生装置であって、
前記再生位置記録部に記録された再生位置は、当該再生位置からコンテンツが再生されると、前記再生位置記録部から削除されるコンテンツ再生装置。
【請求項１０】
請求項１または５のコンテンツ再生装置であって、
前記再生位置記録部に記録された再生位置に当該再生位置を記録した日時に関する情報を付加する手段を備え、
コンテンツを再生する時刻と前記日時に関する情報が示す日時との差に応じて、前記再生位置記録部に記録された再生位置からの再生と、当該再生位置よりも所定の時間前野位置からの再生とを切替えるコンテンツ再生装置。
【請求項１１】
請求項１または５のコンテンツ再生装置であって、
ユーザを認識する手段を備え、
前記再生位置記録部に記録された再生位置に、前記個人を認識する手段で認識した個人の情報を付加するコンテンツ再生装置。
【請求項１２】
請求項１または５のコンテンツ再生装置であって、
再生するコンテンツが記録されている機器を識別する手段を備え、
前記再生位置記録部に記録された再生位置に、前記コンテンツが記録されている機器を識別する手段により識別された機器の情報を付加する手段を有するコンテンツ再生装置。
【発明の詳細な説明】
【技術分野】
【０００１】
技術分野は、映像信号や音声信号の再生に関する。
【背景技術】
【０００２】
特許文献１には、「映像および／または音声を視聴している途中で使用者が一時的にその場を離れなければならない時にも、一時停止や停止の操作を使用者が行なう必要がなく、また、その場を一旦離れた後、その場に戻り再生を開始する場合にも、使用者は操作を行なう必要がなく、さらに、再生を再開するときにも、一時停止した時点の音声などを使用者が確実に認識することが可能な再生装置を提供すること」（特許文献１［０００５］参照）を課題とし、その解決手段として「記録媒体に記録された音声信号を再生する再生手段と、再生手段により再生された音声信号に基づき音声を出力する音声出力手段と、音声出力手段により出力される音声の聴取エリアに使用者がいるか否かを検知する検知手段と、制御手段とを備え、制御手段は、前記聴取エリアに使用者がいないことが検知手段によって検知されたとき、再生手段による音声信号の再生を一時停止し、記録媒体の再生位置を第１の時間分だけ戻して再生手段を一時停止の状態で待機させ、前記聴取エリアに使用者がいることが検知手段によって検知されたとき、再生手段による音声信号の再生を再開する制御を行なうこと」（特許文献１［０００６］参照）が記載されている。
【０００３】
また特許文献２には、「場所と時間とを選ばずに映像コンテンツの視聴を可能とし、しかも、場所や時間が変わっても、ひとまとまりの映像コンテンツについて視聴済である部分の再視聴を低減することで、映像コンテンツのみの視聴に消費する時間を低減できるようにした表示システムを提供すること」（特許文献２［０００６］参照）を課題とし、その解決手段として「映像情報を含む映像コンテンツを複数記憶したコンテンツ記憶手段と、コンテンツ記憶手段に対して映像コンテンツの読出の開始・停止を指示するとともに読出開始の指示時に映像コンテンツ内での読出開始位置を指定する読出制御手段と、複数箇所に設けられコンテンツ記憶手段から読出制御手段が読み出した映像コンテンツを提示する表示手段と、表示手段に関係付けて設けられ表示手段を視聴する利用者の存否を検出する利用者検出手段とを備え、読出制御手段は、映像コンテンツの読出停止時において出力未完了の映像コンテンツがあるときに、利用者の存在を検出している利用者検出手段に関係付けられた表示手段に対して当該映像コンテンツのうち少なくとも出力未完了の部分をコンテンツ記憶手段から読み出して当該表示手段に提示すること」（特許文献２［０００７］参照）が記載されている。
【先行技術文献】
【特許文献】
【０００４】
【特許文献１】特開２００１−８４６６２
【特許文献２】特開２００９−９４８１４
【発明の概要】
【発明が解決しようとする課題】
【０００５】
特許文献１では、例えばユーザが視聴エリアから離れた場合に再生しているコンテンツの一時停止を行い、ユーザが視聴エリアに戻ってきたら一時停止していたコンテンツの再生を再開することや、例えば視聴エリアに複数のユーザがいる場合に、そのうちの１人が視聴エリアから離れたとしても再生を続行することが開示されているが、ユーザが視聴エリアから離れてもコンテンツの再生を継続した場合に、そのユーザが見逃したシーンに関しては何ら考慮されていない。
【０００６】
また、特許文献２では、利用者が他の場所や移動先で、出力未完了部分を視聴できるように、利用者の在否に基づいて、映像コンテンツをどの位置まで再生していたかを推定してチャプタを作成する方法が記載されているが、シーンの先頭位置を記録した後の処理や省電力、ユーザへの具体的な提示方法、ユーザ操作と人検知情報との組合せ制御などに関しては、考慮されていない。
【課題を解決するための手段】
【０００７】
上記課題を解決するために、本発明の一実施の態様は、例えばコンテンツが入力される入力部と、コンテンツの再生位置を記録する再生位置記録部と、コンテンツを表示する表示部と、所定の範囲の人の存否を判定するセンサと、前記センサの判定に基づいて前記所定の範囲に人がいない期間を計測するタイマとを備え、前記センサが所定の範囲に人がいないと判定した場合に、再生しているコンテンツの再生位置を前記再生位置記録部において記録し、前記タイマで測定した期間に応じて、前記再生位置記録部に記録された再生位置からの当該コンテンツの再生開始を促す表示の有無を制御するように構成する。
【発明の効果】
【０００８】
上記手段によれば、映像や音声などのコンテンツの再生について、省電力を可能にするとともに、ユーザの使い勝手を向上する効果をもたらす。
【図面の簡単な説明】
【０００９】
【図１】コンテンツ再生装置の構成の一例を示す図である。
【図２】コンテンツ再生装置における処理の一例を示す図である。
【図３】コンテンツ再生装置で作成するチャプタのファイル構成の一例を示す図である。
【図４】コンテンツ再生装置での処理の一例を示す図である。
【図５】コンテンツ再生装置での処理の一例を示す図である。
【図６】コンテンツ再生装置での処理の一例を示す図である。
【図７】コンテンツ再生装置での処理の一例を示す図である。
【図８】コンテンツ再生装置での処理の一例を示す図である。
【図９】コンテンツ再生装置での処理の一例を示す図である。
【図１０】コンテンツ再生装置での処理の一例を示す図である。
【図１１−１】コンテンツ再生装置での処理の一例を示す図である。
【図１１−２】コンテンツ再生装置での処理の一例を示す図である。
【図１２−１】コンテンツ再生装置における表示例を示す図である。
【図１２−２】コンテンツ再生装置における表示例を示す図である。
【図１２−３】コンテンツ再生装置における表示例を示す図である。
【図１２−４】コンテンツ再生装置における表示例を示す図である。
【図１２−５】コンテンツ再生装置における表示例を示す図である。
【図１２−６】コンテンツ再生装置における表示例を示す図である。
【図１３−１】コンテンツ再生装置における表示例である。
【図１３−２】コンテンツ再生装置における表示例である。
【図１４】コンテンツ再生装置における表示例である。
【図１５】コンテンツ再生装置での処理の一例である。
【図１６】コンテンツ再生装置で作成するチャプタのファイル構成の一例を示す図である。
【図１７−１】コンテンツ再生装置での処理の一例を示す図である。
【図１７−２】コンテンツ再生装置での処理の一例を示す図である。
【図１８】コンテンツ再生装置における表示例である。
【図１９−１】コンテンツ再生装置における表示例である。
【図１９−２】コンテンツ再生装置における表示例である。
【図２０】実施例の概要の一例を示す図である。
【図２１】コンテンツ再生装置で作成するチャプタのファイル構成の一例を示す図である。
【発明を実施するための形態】
【００１０】
以下、図面を用いて実施例を説明する。
【実施例１】
【００１１】
図１は、本実施例における再生装置の構成の一例を示す図である。
【００１２】
図1において、１００はコンテンツ再生装置であり、１０１はコンテンツ入力部、１０２は操作部、１０３は情報記憶部、１０４はチャプタ作成部、１０５はタイマ、１０６は映像／音声処理部、１０７は再生／記録制御部、１０８はコンテンツ記録部、１０９はセンサ制御部、１１０はセンサ、１１１は出力制御部、１１２は表示部である。なお、図１では１０１〜１１２の各部は独立しているが、必要に応じて１または複数の構成要件で構成されてもよい。例えば、１０４、１０６、１０７、１０９、及び１１１は１又は複数のＣＰＵでその処理を行うように構成しても良い。
【００１３】
コンテンツ入力部１０１は、ラジオ、テレビ、ＣＡＴＶなどの映像や音声、EPGなどのデータを放送波で受信するチューナ装置や、光ディスクなどのプレーヤ装置やゲーム機、さらには、インターネットからのコンテンツを受信するための外部入力装置で構成され、映像や音声、文字などのコンテンツの入力ができるインタフェースである。
【００１４】
操作部１０２は、リモコンからの信号を受信する受光部や操作パネルなどで構成され、ユーザからの入力を受け付けることができるインタフェースである。
【００１５】
情報記憶部１０３は、不揮発性や揮発性のメモリ装置で構成され、操作部からユーザが設定する設定値や、後述するチャプタ情報などを保存するための記憶部である。
【００１６】
チャプタ制御部１０４は、センサ制御部１０９からの検知エリア（センサが人の存否を検知するエリア）内の人物の視聴状況などを判断して、コンテンツにチャプタを作成する。本実施例では、コンテンツの再生位置として、チャプタと記載しているが、タイムコードやレジュームポイントなどコンテンツの再生位置を記録する仕組みを利用しても良い。
【００１７】
タイマ１０５は、時刻情報を管理し、任意のタイミングからの時間を計測できる機能を持ち、センサ出力値の時刻情報や人物の不在時間計測、コンテンツ再生時間制御などに利用する。
【００１８】
映像／音声処理部１０６は、コンテンツ入力部１０１からのコンテンツのデコード処理や、コンテンツ記録部１０８に記録するためのエンコード処理、出力制御部１１１の要求に合った映像や音声の変換処理などを行う。
【００１９】
再生／記録制御部１０７は、操作部１０２からのユーザ操作や、チャプタ情報に従い、再生、一時停止、停止、チャプタジャンプなどコンテンツの再生動作を制御と、コンテンツ記録部１０８とのインタフェースを持ち、コンテンツをエンコードしてコンテンツ記録装置１０８に記録する制御を行う。コンテンツ再生位置（チャプタ位置や再生フレーム数、コンテンツ頭からの再生経過時間など）も管理する。
【００２０】
コンテンツ記録部１０８は、ハードディスク（ＨＤＤ）やＳＳＤ（Solid State Drive(Disk)）などの半導体素子でできたメモリなどで構成され、ディレクトリ構成を持ち、ファイル単位でコンテンツを記録できる。また、要求に応じて指定した位置からコンテンツを読み出せる仕組みを持つ。
【００２１】
センサ制御部１０９は、センサ１１０の制御を行い、センサからの出力情報の加工などを行う。カメラセンサやマイクセンサ利用時は、映像／音声処理部１０６を利用するなどして、センサ１１０からの映像や音声から特徴量を抽出する。映像／音声処理部１０６での処理負荷軽減のために、センサ制御部１０９内に別途映像／音声処理部を設けても良い。
【００２２】
センサ１１０は、人感センサやカメラセンサ、マイクセンサなどで構成され、検知エリア内の人物の在不在や視聴状況、視聴者数、視聴者識別などを検知する。センサの種類に関してはこれらに限定されず、人物の存在を検知できるセンサであれば他のセンサでもよい。
【００２３】
出力制御部１１１は、パネルなどの映像表示装置、スピーカなどの音声出力装置に対して、装置の要求に応じた出力制御を行う。出力制御部１１１は、例えば表示部１１２の電源をＯＦＦに制御したり、表示部１１２での映像の表示を停止（消画）させたり、表示部１１２の表示輝度を低下させることにより、省エネルギーを実現することができる。表示部１１２の電源をＯＦＦに制御する際や、表示部１１２での映像の表示を停止（消画）する際には、表示部１１２への映像信号の出力を停止してもよい。
【００２４】
表示部１１２は、液晶や有機ＥＬ、プラズマ、ＬＥＤなどの表示装置や、外部の表示デバイスに映像信号や音声信号を出力するインタフェースであり、出力制御部に従って、ユーザに映像や文字などの情報を表示する。
【００２５】
なお、表示部１１２を外部の表示デバイスに映像信号や音声信号を出力するインタフェースとして構成した場合は、出力制御部１１１は出力先の表示デバイスに対して電源のＯＦＦを指示する信号、映像の表示の停止（消画）を指示する信号、出力先の表示デバイスの表示輝度の低下を指示することにより、表示部１１２が液晶や有機ＥＬ、プラズマ、ＬＥＤなどの表示装置であった場合と同様の省エネルギーを実現することができる。
【００２６】
本構成により、ユーザが映像・音声などのコンテンツ視聴時に、不在になったシーンにチャプタを作成して、見逃しシーンの検索を容易にすることができる。また、不在になって見逃したシーンを録画して、後から見逃しシーンを見ることができる。
【００２７】
図２は、本実施例のコンテンツ再生装置における処理の一例を示す図である。
【００２８】
センサ制御部１０９にて、センサからの出力が無い、または、ある閾値よりも少ない反応しかないという状況が所定期間続き、人が居ないことを検知（Ｓ２０１）した場合に、コンテンツ再生装置はＳ２０２においてコンテンツが再生されているかを確認し、コンテンツが再生中の場合には、チャプタの作成（センサ連動チャプタ作成）（Ｓ２０３）を行う。
【００２９】
センサ連動チャプタ作成では、センサ制御部１０９において人が居ないことの判定を開始するタイミング（タイマ開始タイミング）、またはタイマ開始タイミングから数秒前に戻った再生位置にチャプタを作成する。これにより、不在になり見逃したシーンの先頭か、その少し前からの再開が可能になる。タイマ開始タイミングについては図４、５を用いて後述する。
【００３０】
その後、センサ制御部１０９にて人が居ないと判定されているので、再生を停止して省エネルギーモードに移行するなどの再生、省電力表示処理（S２０４）を行う。
【００３１】
これにより、コンテンツの再生中にユーザが席を外して部屋（視聴エリア）から不在になった場合などであっても、不在になったタイミング（またはその少し前のタイミング）で再生中のコンテンツにチャプタを作成することが可能となる。そのため、省エネルギーの実現とともに、ユーザが部屋（視聴エリア）戻ってきた際に、ユーザが不在になったシーンからそのコンテンツの再生を再開することができる効果がある。なお、視聴エリアとはセンサが人の存否を検知できる範囲（検知エリア）、または人の存否を検知できる範囲（検知エリア）のうちの一部の所定の範囲等である。
【００３２】
Ｓ２０１において、センサ制御部１０９が人を検知した場合には、チャプタを作成する処理は行わない。Ｓ２０２において、コンテンツを再生していない場合には、放送番組の表示中であるかを判定して（Ｓ２０５）、放送番組の表示中だった場合には、録画が不可能な状態かを判定する（Ｓ２０６）。
【００３３】
録画が不可能な状態とは、例えば既に録画中であり、他の番組を録画できない状態や、既に録画予約が入っており、表示中の放送番組の録画を開始してしまうと、予約してある番組が録画できなくなってしまう状態、コンテンツ記録部１０８の残容量が少なくこれ以上録画できない状態など、様々に考えられる。
【００３４】
Ｓ２０６で録画ができないと判定された場合には、Ｓ２０４で現状選択している放送番組を表示する制御を行う。Ｓ２０６で録画ができる状態にあると判定された場合には、録画を開始し（Ｓ２０７）、その後は、Ｓ２０４において、現在選択中の放送番組を視聴するか、省エネルギーのために消画をするかなどを判定して表示制御を行う。
【００３５】
これにより、放送番組の表示中にユーザが席を外して部屋（視聴エリア）から不在になった場合などであっても、自動的にその放送番組の録画を開始することとなる。そのため、省エネルギーの実現とともに、ユーザが部屋（視聴エリア）に戻ってきた際に、不在で見逃したシーンを見ることができる効果がある。
【００３６】
Ｓ２０５にて放送番組を表示している状態ではなく、メニュー表示などユーザの操作に用いられる画面（ユーザ操作画面）を表示中だった場合には、ユーザ不在のために操作されない可能性が高いので、ユーザ操作画面の表示を中止し、放送番組を表示する状態に遷移するなどの工夫も考えられる。ユーザ操作画面は静止画を表示している場合が多いため、この構成により、ユーザ操作画面の静止画表示部分の焼付け防止の効果もある。
【００３７】
図２を用いて説明した処理により、コンテンツの再生中にユーザが不在（視聴エリアから外れる状態）になった場合であっても、再生中のコンテンツに対して不在となったタイミング付近にチャプタが付加されることとなる。そのため、ユーザが視聴エリアに戻ってきた際には、そのチャプタを選択することで見逃したシーンを簡単に見つけられる効果がある。
【００３８】
さらに、放送番組を視聴中の場合には、不在で見逃したであろうシーンを自動的に録画することが可能となる。そのため、ユーザが視聴エリアに戻ってきた際には、見逃したシーンを再生して視聴することができる。
【００３９】
図３は、本実施例のコンテンツ再生装置で作成するチャプタのファイル構成の一例を示す図である。
【００４０】
映像データは、ファイルシステムのファイルとして、HDDなどのコンテンツ記録部１０８に記録される。ユーザの録画指定や自動録画などの操作により、放送番組などをファイルとして記録し、その番組を視聴したいときには、そのファイルをコンテンツ記録部１０８より読み出して再生する。
【００４１】
例えば、デジタル放送においては、放送局から受信装置には、コンテンツがＭPEG２（Moving Picture Experts Group２）のＴＳ（Transport Stream）により伝送され、HDD上では、MPEG2のＴＳあるいはＰＳ（Program Stream）として保存される。このように、コンテンツをファイルとして保存し、ファイルに多くの情報を付加することにより、ユーザに多くのユーティリティ機能を提供できる。
【００４２】
本実施例では、コンテンツ記録部１０８にコンテンツファイルとその管理情報が保存される場合を示す。ツリー状構造でデータを管理し、コンテンツ管理ディレクトリ３００で、コンテンツ、チャプタ情報などを管理する。
【００４３】
コンテンツ管理ディレクトリ３００には、例えばコンテンツ管理ファイル３０１、コンテンツ＃i（iは整数）ファイル（３０２、３０３）、チャプタ管理ディレクトリ３０４が配置される。チャプタ管理ディレクトリ３０４の下には、例えば各コンテンツ＃iのディレクトリ（３０５、３０８）が配置される。各コンテンツ＃iのディレクトリ配下には、例えばチャプタ管理ファイル（３０６、３０９）、センサ連動チャプタ管理ファイル（３０７、３１０）が配置される。なお、この構成は一例であり、この構成に他のディレクトリやファイルが含まれていてもよい。
【００４４】
コンテンツ管理ファイル３０１は、ファイル間の関係やファイルの属性（ジャンル、番組情報、コピー回数、著作権保護、圧縮形式など）を管理している。ファイル間の関係とは、コンテンツ＃００１ファイルのチャプタ情報が、チャプタ管理ディレクトリ３０４配下のコンテンツ＃００１ディレクトリ３０５下のチャプタ管理ファイル３０６、センサ連動チャプタ管理ファイル３０７を参照するなどのファイルの関連性である。
【００４５】
コンテンツ＃i（３０２、３０３）のファイルは、ユーザが視聴するコンテンツのデータストリームを格納するファイルである。チャプタ管理ディレクトリ３０４は、コンテンツ＃iのそれぞれのファイルに紐付けされたチャプタ管理ファイルを配下にもつディレクトリである。
【００４６】
チャプタ管理ファイル３０６、３０９は、コンテンツをエンコードして録画する際に付加されるチャプタ情報である。ステレオ放送かモノラル放送の切り替わりの部分や、場面が大きく切り替わるシーン、字幕放送の有無の切り替わる部分などにチャプタが挿入され、ユーザのコンテンツ再生の手助けをしてくれる。
【００４７】
例えば、番組の間に挿入される広告（ＣＭ）などの先頭や末尾にチャプタが挿入されていると、ユーザはＣＭをスキップして本編をみることも可能となる。このチャプタ管理ファイル３０６、３０９に示されるチャプタ情報は、既に多くの手法を使って実現がなされている。なお、チャプタの挿入はコンテンツの内容に応じて装置により自動的に挿入されてもよいし、ユーザにより挿入されてもよい。
【００４８】
センサ連動チャプタ管理ファイル３０７、３１０は、人感センサやカメラセンサなどのセンサを利用して、ユーザの視聴状況に応じて作成されるチャプタを管理するファイルである。コンテンツ再生中に、ユーザが視聴エリアから離れた場合の再生位置などをチャプタとして保存する。チャプタ保存に関しては、複数個のチャプタ位置を記録させても良いし、１つのチャプタとして保存しても良い。
【００４９】
複数個記録した場合には、不在で見逃したシーンを全部見たいというユーザには使い勝手が良い。１つのチャプタにして、最新の不在になった直後の見逃しシーンの開始位置を常に上書きして保存し、最新の見逃し位置のみ利用するユーザには使い勝手が良い。
【００５０】
本実施例では、チャプタ管理ファイル３０６、３０９とは別に、センサ連動チャプタ管理ファイル３０７、３１０を有する。これにより、既存のチャプタ利用の便利さを保ちつつ、視聴に応じたチャプタ利用を可能にすることで、更なる使い勝手向上がはかれるメリットがある。
【００５１】
また、センサ連動チャプタ管理ファイルには、チャプタが作成された日時、見逃した期間なども保存しても良い。これにより、ユーザがいつ不在になって見逃したのかを確認できる。実施例２に示す個人識別機能が無い場合でも、この不在になった日付けや時間帯から、自分が見逃したシーンかどうかを推測することも可能である。見逃した期間がわかると、少しの見逃しなら見直さなくて良いというユーザの判断材料にも利用できる。
【００５２】
コンテンツファイルとチャプタ管理情報とを紐付けするコンテンツ管理ファイル３０１、センサ連動チャプタ管理ファイル３０７、３１０の保存場所は、コンテンツ記録部１０８でも、情報記憶部１０３など別の場所に保存しても良い。
【００５３】
さらに、携帯型動画プレーヤに、コンテンツを持ち出して、移動先でもコンテンツを楽しみたい場合には、コンテンツファイルのみでなく、このコンテンツ管理ファイルも一緒に持ち出すことにより、家で見逃したシーンをセンサ連動のチャプタを利用して検索し易くなるメリットもある。
【００５４】
なお、本実施例ではチャプタ管理ファイルとセンサ連動管理ファイルとを別にする構成としたが、コンテンツの内容に応じて挿入されたチャプタやユーザにより挿入されたチャプタと、センサの検知、すなわち視聴の状況に応じて挿入されたチャプタとを分けて管理することができれば、これらのチャプタ情報を同じファイルに保存してもよい。
【００５５】
図４は、本実施例のコンテンツ再生装置での処理の一例を示す図である。
【００５６】
この処理は、図２のＳ２０３のチャプタ作成処理の具体例であり、録画番組などを再生している途中でユーザが席を立つなどして、視聴するエリアからユーザが不在になる場合の再生制御動作である。
【００５７】
Ｓ４００でチャプタ作成処理シーケンスを開始して、Ｓ４０１でユーザが不在になる前に一時停止または停止操作をしているかの状態を確認する。一時停止または停止をしている場合には、Ｓ４０２にて一時停止または停止をした再生位置にセンサ連動のチャプタを作成する。ユーザがその位置で一時停止または停止をしているということは、ユーザがその位置からの再生の再開を希望していることが予測されるからである。
【００５８】
また、ユーザが一時停止または停止をして、センサによりユーザが視聴エリアに存在しないことが検知された場合には、表示部のバックライト消して、消画することが消費電力低減のために有効である。
【００５９】
消費電力を低減させるために、不在時間に応じて画面を消画することや、装置をスタンバイの状態（待機状態）にすることを出力制御部１１１に指示することが考えられる。この際にセンサ連動のチャプタを作成しておくことで、再生の一時停止または停止をしていたコンテンツの再生を再開した際に、その位置からの再生が可能となる。センサ連動チャプタに、ユーザが操作をして一時停止をしたことを示すフラグを設定し、そのフラグが設定されている場合には、消画に移行する時間を短くしても良い。
【００６０】
Ｓ４０１にて、ユーザが一時停止操作をしていない場合には、Ｓ４０３にて、コンテンツが広告（ＣＭ）の再生中かを確認する。再生位置がＣＭ中であるかどうかは、字幕情報が無い場合や、副音声が無い場合、モノラル音声とステレオ音声が切り替わる場合などを検知することで、判断する。
【００６１】
この場合、ユーザはＣＭ中にトイレに行くなどのパターンが考えられ、その場合には、ＣＭ中は出力制御部１１１に消画するなどの指示をするとともに、ＣＭが終わるタイミングを検知したら、そこでセンサ連動のチャプタを作成する処理を行う（Ｓ４０４）。ＣＭ中にユーザが戻って来た場合には、そのままＣＭを見るか、スキップして番組本編に進むかを選択できるようなメッセージをユーザに提示する。
【００６２】
ＣＭが終わり番組本編が始まってからユーザが戻って来た場合には、ＣＭ後の番組本編が始まった位置に作成したチャプタに戻ることができることを示すメッセージをユーザに提示する。
【００６３】
Ｓ４０３にて、コンテンツがＣＭ中ではない場合には、Ｓ４０４の処理は行わない。例ではＣＭ再生中としているが、コンテンツ最後のスタッフロール再生中や、ＣＭ明けすぐにＣＭ前のシーンの繰り返しのシーンが挿入されている場合や、既に視聴したシーンの再生中であった場合にも、ユーザがチャプタを利用してそのシーン見返す場合は少ないと考えられる位置には、チャプタを作成しない方法も考えられる。ＣＭに関しては、ＣＭを見たいというユーザには、ユーザ選択などにより、ＣＭ中であってもセンサ連動チャプタを付加できるようにしても良い。
【００６４】
Ｓ４０５にて、チャプタ管理ファイル３０６や３０９のチャプタ管理ファイルで設定されているチャプタを確認し、センサ連動のチャプタ作成位置が、既存のチャプタと近い位置（例えば、３０秒以内のフレーム等、所定の時間以内のフレーム）の場合には、新たにチャプタを作成しないように構成してもよい。
【００６５】
これは、複数のチャプタ同士が近くに存在すると、前後のチャプタに再生位置を移動する際に、同じような映像にジャンプすることになり、所望のチャプタに移動するまでにユーザの操作回数や操作時間が増え、使い勝手が低下するおそれがあるからである。
【００６６】
Ｓ４０６においては、再生中のコンテンツが早送り再生や巻き戻し再生などの特殊再生を行っている状態でないかを判定する。この場合、ユーザは再生位置を探している操作中になんらかの理由で、視聴エリアを離れて、センサで不在と判定された場合が考えられるため、そのまま特殊再生を継続するのではなく、一時停止や停止処理を行い、さらに出力制御部１１１に消画などの指示を行う。
【００６７】
戻ってきた際には、出画を行い、以前に行っていた操作の継続をするかどうかを問い合わせるようなメッセージを表示する構成にしてもよい。これにより、特殊操作でユーザが想定していない再生位置まで進むまたは戻ることを防ぐことができる。また、センサで不在と判定されたタイミングでチャプタ作成と同時にその時刻を保存しておき、不在になった時刻をユーザに通知しても良い。これにより、ユーザが時刻情報から以前していた操作を思い出せるメリットがある。
【００６８】
Ｓ４０７においては、ユーザがコンテンツの音声を聞きながら高速で再生できる１．３倍再生や２倍速などのn倍速再生をしながら視聴していた場合かどうかを判定する。n倍速再生中でない場合には、センサ連動のチャプタ作成（Ｓ４０８）を行う。
【００６９】
センサ制御部１０９においては、センサで不在を検知し始めてから、ある所定時間ある閾値以上のセンサの反応がなかった場合に不在であると判定するが、不在と判定するまでの時間を測定するタイマ開始の時刻の再生位置から所定時間ａ戻った再生位置にセンサ連動チャプタを作成し、図３の管理ファイル３０７や３１０にチャプタ情報を追加する。
【００７０】
これにより、センサによる人検知制御において、人が視聴エリアに存在しないことが検知される場合には、センサ連動のチャプタが作成されるので、見逃し開始ポイントが保存されるメリットがある。
【００７１】
チャプタ作成位置情報としては、再生コンテンツの再生フレーム番号やコンテンツストリームの再生開始位置からの再生経過時間などを使う。チャプタ作成位置は、フレーム単位に作成しても良いし、動画をデジタル記録する際に用いるＧＯＰ（Group Of Pictures）単位で作成しても良い。
【００７２】
また、チャプタ作成位置の画像をサムネイルとして、センサ連動チャプタ管理ファイルに紐付けしても良い。この場合、ユーザが映像を見ながら見逃したシーンかどうかを選択できるメリットがある。
【００７３】
Ｓ４０８にて、n倍再生中だった場合には、センサ制御部１０９において不在と判定するまでの時間は変わらないが、その間に再生される量もn倍多いことになるので、Ｓ４０８よりもn倍つまり、ａ×n戻った再生位置に(Ｓ４０９) センサ連動チャプタを作成する。これにより、等倍での再生中でも、倍速再生中でも、視聴エリアを離れて戻ってきた際には、不在になった再生位置にチャプタが作成されており、センサ連動チャプタを選択することで、不在になって見逃したシーンの視聴を容易に開始することができる。また、n倍速再生中に作成されたセンサ連動チャプタを、ユーザが選択した際には、n倍速再生での再生を再開しても良いし、n倍速再生か、一倍再生かどちらの再生再開をするかをユーザに問い合わせても良い。
【００７４】
なお、センサ連動チャプタの作成について、センサが人の不在を検知し始めた位置から所定時間ａ戻った再生位置にセンサ連動チャプタを作成することを説明したが、センサが人の不在を検知し始めた位置にセンサ連動チャプタを作成するように構成してもよい。
【００７５】
図５は、本実施例のコンテンツ再生装置での処理の一例を示す図であり、録画したコンテンツを再生中に、センサ検知エリア内に人物（ユーザ）が不在になり、ユーザが再び検知エリア内に戻ってきた場合のチャプタ作成動作例を示している。
【００７６】
まず、ユーザはセンサ検知エリア内で、テレビを視聴している。この際、ユーザはテレビを視聴しながら、笑ったり、足を組み替えたり、頭をかいたりなど様々な動作をすることで、センサから電圧が出力されている状態である。センサ制御部１０９では、これらのセンサ出力から人検知の有無を推定し、センサ検知有フラグ（センサが人の存在を検知している場合にＯｎ、検知していない場合にＯｆｆと設定されるフラグ）のＯｎまたはＯｆｆを判定する。
【００７７】
センサとして、焦電型の人感センサを利用した場合には、検知エリア内に存在する赤外線を集光し、赤外線（熱源）の変化がある場合には、焦電効果を生じ、電位差が発生するが、検知エリア内に熱源の動き変化がない場合には、安定時電圧Ｖ0を出力する特性を持つ。
【００７８】
センサが安定時電圧Ｖ0とある閾値以内の値を出力し続けている際は、検知エリア内に人が不在と推定し、センサ検知有フラグをＯｆｆにし、ある閾値以上の値が出力された場合には、人が居ると推定して、センサ検知有フラグをＯｎにする。
【００７９】
センサとして、カメラセンサを利用した場合には、テレビ側から視聴者側の映像を撮影し、カメラに映る範囲のエリアがセンサ検知エリアとなる。検知範囲エリア内での顔検知処理を行い、顔が検知された場合には、人がエリア内に居ることが判定できる。
【００８０】
また、フレーム間の画素単位やブロック単位の変化がある場合には、人などの動体を検知することができる。動きのある部分の形や大きさなどから、その動きが人なのかペットなどの小動物なのかの推定なども行い、エリアに人が居るか居ないかの推定ができる。この動体を検知する場合も、カメラ撮影画面全体に占める動く量によって閾値をもうけ、ある閾値以上の動きがある場合には、人が居ると推定して、センサ検知有フラグをＯｎし、ある閾値以下の動きしかない場合には、センサ検知有フラグをＯｆｆにする。
【００８１】
なお、部屋の電灯の点灯や消灯、窓から差し込む光などの影響を受け、フレーム間の輝度が大きく変化が生じるため、そのタイミングでセンサ検知有フラグがＯｎまたはＯｆｆと変化するおそれもある。よって、カメラ撮影画面全体に大きく変化がある場合には、センサ検知有フラグに影響を及ぼさないようにし、その後の動きの有無によって、センサ検知有フラグのＯｎまたはＯｆｆを判定するようにしてもよい。
【００８２】
次に、ユーザがセンサ検知エリアを離れた場合には、人感センサやカメラセンサの反応から、センサ検知有フラグＯｎの状態からＯｆｆに遷移する。この場合には、センサ検知有フラグＯｎからＯｆｆに遷移したタイミングの再生位置から、ある所定期間ａ戻った再生位置にセンサ連動チャプタを作成する。
【００８３】
センサ検知有フラグＯｎからＯｆｆに遷移したタイミングからある所定期間Ｔの間のセンサ出力値を確認し、本当に人が居ないかを確認する。その確認の期間は、まだ人がいる可能性があるので、コンテンツ再生は継続する。
【００８４】
所定期間Ｔの間センサ出力値がある閾値以下であり、センサ検知有フラグがＯｆｆのままの場合には、コンテンツが視聴されていない可能性が高いので、コンテンツ再生を停止し、消画するなど省エネを図る。ユーザがエリア内に戻って来て、視聴を開始する場合には、作成されている中の最新のセンサ連動チャプタにジャンプして、不在なって見逃したシーンを見るかをユーザに知らせるメッセージをユーザに提示する。
【００８５】
このように、人の行動をセンサ出力値から推定し、人が不在になった再生位置にチャプタを作成することで、視聴エリアにユーザがいない間の省電力化を実現し、さらにはユーザが視聴エリアに戻ってきた際に不在の間見逃したシーンを自動的に提示することが可能となる。
【００８６】
本例では、録画番組を再生している場合であるが、放送番組を視聴している際には、センサ検知有フラグＯｎからＯｆｆに遷移したタイミングで録画を開始するようにしてもよい。そしてユーザが視聴エリアに戻って来た際には、ユーザに録画したシーンを見るかどうかを選択させ、もし、ユーザが選択しなかった場合には、録画したコンテンツファイルなどは自動的に消去してもよい。これにより、ユーザが見逃したシーンを録画しつつ、不要な録画データは削除することが可能となり、ユーザの使い勝手の向上とコンテンツ記録測地１０８の容量の節約とを両立できる。
【００８７】
人を検知するセンサとしては、人感センサ、カメラセンサ以外にも、音センサ（マイク）、距離センサ、光センサなど様々に考えられる。音センサの場合には、人間が活動している際に発生する物音や会話の音量の検知レベルを利用して、チャプタ作成の有無を判定する方法が考えられる。距離センサの場合には、検知エリア内の距離の変化で人の存在を検知する。光センサの場合には、時刻情報と組み合わせて、夜の時間帯にセンサがある閾値以上の明るさを出力した場合には、部屋の照明をつけており、人が活動している可能性が高いと判断して、人の存在を検知するなどして、チャプタ作成の有無を判断する。このように、人を検知するセンサの種類は限定されず、人の検知が可能なセンサであれば本実施例に適用可能である。
【００８８】
図６は、本実施例のコンテンツ再生装置での処理の一例を示す図である。ここでは、作成されたチャプタを利用した再生動作の一例を示す。
【００８９】
図５のセンサ検知有フラグがＯｎからＯｆｆに切り替わるタイミングで、センサ連動チャプタが作成され、センサ連動チャプタ管理ファイルが更新され、同時にセンサ連動チャプタが作成された時刻から経過した時間Ｔの計測を開始する（Ｓ６０１）。
【００９０】
Ｓ６０２、Ｓ６０６、Ｓ６０９、Ｓ６１３において、ユーザがコンテンツを視聴していない時間Ｔを、設定時間Ｔmin、Ｔ０、Ｔ１（０≦Ｔmin≦Ｔ０≦Ｔ１）と比較し、再生動作を切り替える。時間ＴがＴminよりも短い場合（Ｓ６０２）は、コンテンツ再生を継続するように構成してもよい。その期間にセンサ検知有フラグがＯｆｆからＯｎになった場合（Ｓ６０３）、つまり、ユーザがエリアに戻って来るなどした場合には、再生動作継続となり、特にセンサ連動チャプタを利用した再生への切り替えはしないようにしてもよい。その後、タイマをリセットし（Ｓ６０４）、処理終了（Ｓ６０５）となる。
【００９１】
Ｔmin≦Ｔ≦Ｔ０の場合（Ｓ６０６）は、再生動作は継続して行い、その期間にセンサ検知有フラグがＯｆｆからＯｎになった場合（Ｓ６０７）、センサ連動チャプタからの再生再開を促すメッセージを表示する（Ｓ６０８）。再生再開を促すメッセージとしては、図１２が例である。このメッセージは、ユーザのコンテンツ視聴を助けるものであるが、コンテンツ視聴の邪魔にならないように、数秒してもユーザ操作がなかった場合には、メッセージを消すことが望ましい。
【００９２】
Ｔ０＜Ｔ＜Ｔ１の場合（Ｓ６０９）は、設定時間Ｔ０よりも長い期間、ユーザはコンテンツを視聴していない可能性があるため、コンテンツ再生を一時停止し、同時に表示画面を消す（Ｓ６１０）。コンテンツを一時停止させた場合には、コンテンツ再生に利用する映像／音声信号処理部１０６や再生／記録制御部１０７、コンテンツ記録部１０８などは起動させたままにしておく。
【００９３】
これにより、ユーザがセンサ検知エリアに戻って来た際に、高速にコンテンツの再生再開を開始できる。高速性よりも省電力を優先するユーザに関しては、これら機能部を停止させても良い。表示画面を消す方法としては、出力制御部１１１を利用し、表示部のバックライトを消灯する方法や、各素子の自発光処理を停止するなどが考えられ、これにより消費電力を抑えることができる。
【００９４】
Ｔ０＜Ｔ＜Ｔ１の期間にセンサ検知有フラグがＯｆｆからＯｎになった場合（Ｓ６１１）、バックライトを点灯するなどして、出画を再開し、同時にセンサ連動チャプタからの再生再開を促すメッセージを表示する（Ｓ６１２）。再生再開を促すメッセージは、Ｓ６０８と同様である。
【００９５】
これにより、ユーザがセンサ検知エリア内から離れた場合などに、その間、消画することで消費電力を抑えることが可能となり、さらに、ユーザが見逃したであろうシーンを先頭から再生の再開が可能となる。
【００９６】
なお、本例では、ユーザが視聴エリアコンテンツ再開を促す処理になっているが、センサ連動チャプタ管理ファイルに基づき、一時停止する前のセンサ連動チャプタから自動的に再生を開始しても良い。この場合、ユーザがセンサ検知エリアでの視聴を再開しようとした際に、自動的に画面に映像が流れ、ユーザが見逃したであろうシーンの先頭から再生再開を開始できる。
【００９７】
Ｔ１≦Ｔの場合（Ｓ６１３）は、設定時間Ｔ１よりも長い期間、ユーザはコンテンツを視聴していなく、再生装置の電源を消し忘れて出かけてしまったり、居眠りをしている可能性があるため、コンテンツの再生を停止し、同時に再生装置をスタンバイモードなどの省電力モードへ移行する（Ｓ６１４）。
【００９８】
スタンバイモードとは、再生装置がユーザからのリモコン操作の受信のための最低限の電源領域しかＯｎになっていない省電力待機状態である。この状態の時は、ユーザがリモコンなどを使い、再生装置に起動要求（Ｓ６１５）をしなければ起動しない。ユーザからの起動要求があった場合には、スタンバイモードを解除し、再生装置を起動後、出画処理（表示画面に映像を表示させる処理）を行い、センサ連動チャプタからの再生再開を促すメッセージを表示する（Ｓ６１６）。この際も、再生再開を促すメッセージ例としては、Ｓ６０８と同様である。
【００９９】
チャプタの作成後にセンサ検知有フラグがＯｆｆを継続する期間Ｔは、再生中のコンテンツのうちユーザが見逃したであろうシーンの期間であるため、センサ連動チャプタ管理ファイルに、作成したチャプタと関連付けて保存しても良い。これにより、見逃した期間をユーザに提示でき、そのコンテンツのどのくらいを見逃しているかなど、後から算出できるメリットがある。
【０１００】
なお、図６ではセンサ検知有フラグがＯｆｆを継続する期間Ｔに応じて複数の処理を行う実施例を説明したが、複数の処理のうちの一部の処理のみ行うように構成してもよい。
【０１０１】
図７は、本実施例のコンテンツ再生装置での処理の一例を示す図であり、図６のＴ＜Ｔminの場合のコンテンツ再生動作の一例である。
【０１０２】
図７は、コンテンツ再生を継続して、作成したセンサ連動チャプタを利用したコンテンツ再生をしない場合の例であり、図６のＳ６０２、Ｓ６０３のシーケンスの動作例である。
【０１０３】
センサ連動チャプタ作成のシーケンスに従い、センサ検知有フラグがＯｎからＯｆｆに切り替わるタイミングでのコンテンツの再生位置の所定時間ａ戻った位置にセンサ連動チャプタが作成され、センサ連動チャプタ管理ファイルが更新される。
【０１０４】
そして、ユーザがセンサ検知エリア（視聴エリア）からは一度離れるが、Ｔmin以内に戻って来て、Ｔmin以内にセンサ検知有フラグがＯｆｆからＯｎに切り替わる場合である。この場合、ユーザがエリアから離れ、短い期間に再生された区間に対して、戻って再生をし直すかをユーザに問い合わせるのは、使い勝手が悪くなるとも考えられるため、この場合には、センサ連動チャプタ位置からの再生再開の促しは実施しないように構成してもよい。
【０１０５】
図８は、本実施例のコンテンツ再生装置での処理の一例を示す図であり、図６のＴmin≦Ｔ≦Ｔ０の場合のコンテンツ再生動作の一例である。
【０１０６】
図８は、コンテンツ再生を継続しつつ、センサ連動チャプタを利用したコンテンツ再生再開の促しをする場合の例であり、図６のＳ６０６、Ｓ６０７、Ｓ６０８のシーケンスの動作例である。センサ連動チャプタを作成するシーケンスに従い、センサ検知有フラグがＯｎからＯｆｆに切り替わるタイミングでのコンテンツの再生位置の所定時間ａ戻った位置にセンサ連動チャプタが作成され、センサ連動チャプタ管理ファイルが更新される。
【０１０７】
そして、ユーザが例えば、トイレに行って戻ってくるなど、センサ検知エリアから、ある程度の時間（Ｔmin〜Ｔ０の期間）居なくなり、戻って来る様な場合であり、Ｔmin≦Ｔ≦Ｔ０以内にセンサ検知有フラグがＯｆｆからＯｎに切り替わる場合である。
【０１０８】
この際、戻って来た時に見逃したシーンが気になる場合があるので、ユーザが戻ってきたタイミングで、現状の再生は継続しつつ、見逃したであろうシーンの先頭であるセンサ連動チャプタの再生位置からの再生再開をするかどうかのメッセージを表示して、ユーザに問い合わせる。
【０１０９】
再生再開を促すメッセージ例としては、Ｓ６０８と同様である。ユーザが、見逃しシーンの視聴を選択した場合には、センサ連動チャプタ管理ファイルを参照し、再生位置をセンサ連動チャプタに設定し、再生を再開する。
【０１１０】
これにより、ユーザは戻って来たタイミングで、今まで見ていた内容と、継続して再生されていた現在のシーンと、見逃したシーンのサムネイルから、その間に再生された内容を推測できる。その推測に基づき、見逃したシーンを見直すかどうかを判断して、センサ連動チャプタに再生位置を設定するかを決めることができる。
【０１１１】
図９は、本実施例のコンテンツ再生装置での処理の一例を示す図であり、図６のＴ０＜Ｔ＜Ｔ１の場合のコンテンツ再生動作の一例である。
【０１１２】
図９は、Ｔ０以上ユーザが不在になり、再生を一時停止して、再生再開時には、センサ連動チャプタからの再生開始を促す場合の例であり、図６のＳ６０９、Ｓ６１０、Ｓ６１１、Ｓ６１２のシーケンスの動作例である。
【０１１３】
センサ連動チャプタ作成シーケンスに従い、センサ検知有フラグがＯｎからＯｆｆに切り替わるタイミングでのコンテンツの再生位置の所定時間ａ戻った位置にセンサ連動チャプタが作成され、センサ連動チャプタ管理ファイルが更新される。
【０１１４】
そして、例えば、赤ん坊が泣いたので、様子を見に行って戻って来た場合などであり、ユーザがコンテンツを視聴していないにも関わらず、コンテンツ再生表示が行われている状況が設定時間Ｔ０よりも長く続き、Ｔ０＜Ｔ＜Ｔ１以内にセンサ検知有フラグがＯｆｆからＯｎに切り替わる場合である。
【０１１５】
この際は、コンテンツ再生を一時停止し、表示画面を消す処理を行う。これにより、無駄な電力消費が抑えられるメリットがある。ユーザが戻ってきたタイミングでは、出画処理をして、センサ連動チャプタからの再生再開を促す。再生再開を促すメッセージ例としては、Ｓ６０８と同様である。
【０１１６】
これにより、ユーザが戻って来るまでの期間の消費電力低減ができ、さらに、戻って来たタイミングで見逃したであろうシーンの先頭であるセンサ連動チャプタの再生位置からの再生再開が可能である。
【０１１７】
図１０は、本実施例のコンテンツ再生装置での処理の一例を示す図であり、図６のＴ１≦Ｔの場合のコンテンツ再生動作の一例である。
【０１１８】
図１０は、ユーザがＴ１以上不在となり、Ｔ０から再生を一時停止して、さらに長時間未視聴状態が続いた場合には、再生装置をスタンバイモード（省電力モード）にし、ユーザが起動を要求すると、センサ連動チャプタからの再生開始を促す場合の例であり、図６のＳ６１３、Ｓ６１４、Ｓ６１５、Ｓ６１６のシーケンスの動作例である。
【０１１９】
センサ連動チャプタ作成シーケンスに従い、センサ検知有フラグがＯｎからＯｆｆに切り替わるタイミングでのコンテンツの再生位置の所定時間ａ戻った位置にセンサ連動チャプタが作成され、センサ連動チャプタ管理ファイルが更新される。
【０１２０】
図１０は、例えば、ユーザがコンテンツを再生したまま、再生装置の電源を消し忘れて出かけてしまったり、居眠りをしている場合など、ユーザがコンテンツを視聴していないにも関わらずコンテンツ再生表示が行われている状況が設定時間Ｔ１よりも長く続き、Ｔ１≦Ｔのタイミングでセンサ検知有フラグがＯｆｆからＯｎに切り替わる場合の処理である。
【０１２１】
この場合、Ｔ０＜Ｔ＜Ｔ１に関しては、図９の動作例の様に、コンテンツ再生を一時停止し、同時に表示画面を消す処理を行う。Ｔ１≦Ｔの場合は、HDDの回転を停止するなど再生装置をスタンバイモードなどの省電力モードへ移行する。
【０１２２】
これにより、ユーザが再生装置の電源を消し忘れて出かけてしまった場合であっても自動的に再生装置の電源を消す（あるいはスタンバイモードや省電力モードにする）ことが可能となり、消費電力低減が期待できる。
【０１２３】
そして、ユーザが戻ってきたタイミングでは、再生装置の起動、出画処理はせず、ユーザが起動を要求したタイミングでセンサ連動チャプタからの再生再開を促す。再生再開を促すメッセージ例としては、S608と同様である。
【０１２４】
これにより、ユーザがコンテンツ再生を再開したいと思って操作したタイミングで、見逃したであろうシーンの先頭であるセンサ連動チャプタの再生位置からの再生再開が可能である。
【０１２５】
なお、ユーザが操作したいタイミングに関わらず、ユーザが再生装置の前にいる場合（センサが人の存在を検知している場合）は表示装置をＯｎにする設定を行っているユーザに関しては、再生装置の電源を消すとき（スタンバイモードや省電力モードに移行するとき）に、センサをセンシング状態にしておき、センサ検知エリア内でユーザが検出された場合には、スタンバイモードから、通常表示モードに遷移するように構成しても良い。
【０１２６】
図１１−１は、ユーザが視聴中のコンテンツを一時停止にする操作を行ってから視聴エリアを離れる場合の処理を説明した図である。この場合には、ユーザが一時停止の操作をした再生位置にチャプタを作成し、一時停止の操作を行なった際の画面表示を継続するが、センサ検知有フラグがＯｎからＯｆｆに切り替わるタイミングで消画する。
【０１２７】
これにより、図６のシーケンスで、不在検知後Ｔ０期間出画する消費電力を、消画することで、さらに電力低減をすることができる。Ｔ０≦Ｔ＜Ｔ１にユーザが戻ってきた際には、一時停止した位置に作成したチャプタの再生位置からの表示再開を促すメッセージを表示する。この際、メッセージを表示して促すのではなく、自動的に一時停止の操作がされた再生位置（チャプタ位置）の画面表示を再開したり、その再生位置からの再生を開始しても良い。その場合には、ユーザが視聴エリアに戻ってきた際に、ユーザは視聴エリアを離れた際と同様の状態で視聴してたコンテンツに対する処理を指示できたり、ユーザが操作を行なわなくても視聴エリアを離れた際に視聴していたコンテンツの再生を再開したりすることが可能である。
【０１２８】
図１１−２は、センサ検知有フラグがＯｎからＯｆｆに切り替わるタイミングでのコンテンツの再生位置の所定時間ａ戻った位置にセンサ連動チャプタを作成するが、Ｔ０期間待たずに、Ｔmin期間経過後には、消画を行う処理を説明した図である。
【０１２９】
これは、例えばサスペンスドラマなどを見ている場合に、ユーザが視聴エリアから離れた後Ｔ０時間以内に視聴エリアに戻ってきた際に、消画されていないことによって当該サスペンスドラマの犯人が分かってしまうこともあるため、短い期間例えばＴmin経過後に一時停止、消画する。この処理は、例えばコンテンツに含まれるジャンル情報を利用し、ジャンルに応じてＴmin経過後に一時停止、消画するのか、Ｔ０経過後に一時停止、消画するのかを切替えてもよい。
【０１３０】
これにより、ユーザが視聴エリアから一旦外れた後、視聴エリアに戻ってきても、ユーザにとって不都合の無いコンテンツ視聴を実現することができ、さらに、消画することで低消費電力化も図れる。
【０１３１】
図１２は、本実施例のコンテンツ再生装置での表示の一例を示す図である。
【０１３２】
図１２−１、図１２−２は、図６のＳ６０８、Ｓ６１２、Ｓ６１６のタイミングで表示するユーザへセンサ連動チャプタからの再生を促す表示例である。図１２−１では、ユーザが視聴エリアから一旦外れ、Ｔ１以内に戻ってきた場合に、センサ連動チャプタが存在して見逃したであろうシーンがあることをユーザに提示する表示の一例である。ユーザがセンサ連動チャプタが示す再生位置からの視聴を希望する場合には、ユーザが右下のサムネイル画像を選択することにより、センサ連動チャプタが設定されたシーンからの再生を開始する。
【０１３３】
このメッセージやサムネイル画像は、センサでユーザを検知してから所定の時間経過後（例えば数秒後）に消し、センサ連動チャプタが設定されたシーンに戻らずそのままそのコンテンツの再生を継続したり、そのときに放送されているコンテンツの再生を行ったりする。
【０１３４】
図１２−２は、ユーザが視聴エリアから一旦外れてＴ１以内に戻ってきた場合に、どの位置から視聴を再開するかを、コンテンツ全体における現在の再生位置、既存のコンテンツチャプタ位置、センサ連動チャプタ位置（見逃しチャプタ）をユーザに提示している例である。
【０１３５】
このように、ユーザが視聴エリアの外から戻って来た際に、どこから見るのかを選択できるように構成することので、ユーザにとっての使い勝手が向上する。
【０１３６】
図１２−３は、ユーザがリモコンの操作などを行い、録画した番組の一覧表示を選択した場合であり、選択された録画コンテンツのセンサ連動チャプタ位置（見逃しシーン）を再生位置とともにサムネイルで表示している表示例である。この際、センサ連動チャプタに付加されたチャプタ作成日時情報や見逃した期間を表示してもよい。
【０１３７】
これにより、センサ連動チャプタが設定されている時間帯や曜日から、自分が視聴エリアから外れたときに設定されたチャプタなのかどうか（自分が見逃したシーンなのかどうか）の判断材料になる。
【０１３８】
図１２−４は、ユーザが電子番組表から選択（例えば、カーソルを移動させて選択）した番組に関連する番組（例えば、選択された番組が連続ドラマだった場合に、その番組の前回分）を録画している場合には、その録画した番組に設定されたセンサ連動チャプタを利用し、関連する番組をどのくらい見逃しているかを表示している例である。
【０１３９】
この表示を指標に、ユーザは電子番組表から選択した番組を録画するか否かを判断したり、録画された関連する番組を再度再生して視聴してから電子番組表から選択した番組を録画するか否かを判断したり、電子番組表から選択した番組の録画を予約をした後から録画された関連する番組を再生して視聴したりすることが可能となり、ユーザの利便性を向上できる。
【０１４０】
図１２−５、図１２−６は、図６のＳ６０８、Ｓ６１２、Ｓ６１６のタイミングでユーザが戻った際に、センサ連動チャプタが設定されたこと（見逃しシーンが存在する可能性があること）を、表示画面上にマークを表示することや、再生装置に備えられたLEDを点灯、点滅させることによってユーザに伝える表示例である。
【０１４１】
ユーザが視聴エリアから外れ、所定の時間経過後に戻ってきた場合に、センサ連動チャプタが設定されたこと（見逃しシーンが存在する可能性があること）をユーザに伝え、ユーザがセンサ連動チャプタが設定された位置からの再生を希望する場合には、チャプタ戻しなどの所定の操作をすることにより、センサ連動チャプタが設定された位置にジャンプして、その位置からの視聴（見逃しシーンと考えられるシーンの視聴）が可能となる。また、ユーザがセンサ連動チャプタが設定されたシーンからの再生を希望しない場合でも、再生中コンテンツの視聴の邪魔にならない程度であるため、ユーザに煩わしく感じさせない。
【０１４２】
図１３は、本実施例のコンテンツ再生装置での表示の一例を示す図である。
【０１４３】
ユーザがリモコンなどの操作部１０２を利用して、コンテンツ再生装置にユーザが機能の有効の有無、動作値を設定できる仕組みを持つ。
【０１４４】
図１３−１での「見逃しチャプタ」とは、センサ連動チャプタのことであり、見逃しチャプタ設定をＯｎにした場合には、センサと連動したチャプタ作成、そのチャプタを利用した再生の実施が可能である。Ｏｆｆにした場合には、センサ出力値によってチャプタは作成されない。
【０１４５】
「未視聴時消画遷移時間」は、図６等の中のＴ０である。設定時間Ｔ０よりも長い期間、センサ検知有フラグがＯｆｆを継続する場合には、コンテンツ再生を一時停止し、同時に表示画面を消す。例えば、ユーザがコンテンツ再生中に席を外し、誰もコンテンツ視聴していない状況では、Ｔ０期間で、画面の消画が行われる。
【０１４６】
「未視聴時スタンバイ遷移時間」は、図６等のＴ１である。誰もコンテンツ視聴していない状況では、コンテンツ再生装置は、Ｔ１後に、スタンバイモードに遷移する。これらの時間は、ユーザの使い勝手に合わせて調整可能である。この値はユーザの操作を学習させて、それぞれのユーザに合った値を自動的に探すようにしてもよい。
【０１４７】
「コンテンツ自動再生再開」とは、センサ検知がＴ０期間以上ない場合に、コンテンツ再生が一時停止となるが、その状態で、ユーザが視聴エリアに戻ってきたことを検知して、自動的に、センサ連動チャプタが設定された再生位置に戻って再生を始めるかどうかを選択できる設定である。Ｏｎを設定した場合には、ユーザが操作しなくても、ユーザが視聴エリア内に戻ってくれば、自動的にコンテンツの再生が始まる。Ｏｆｆに設定した場合には、表示画面上にセンサ連動チャプタが設定されたことをユーザに知らせるメッセージを表示する処理等に留まり、見逃しシーンをみるためにはリモコン等での操作によりセンサ連動チャプタが設定された位置からの再生を指示することになる。
【０１４８】
「スタンバイからの自動復帰」がＯｎの場合は、例えばコンテンツ再生装置がＴ１後にスタンバイモードに遷移した後、スタンバイモードにおいてセンサを駆動させておき、センサ検知有フラグがＯｆｆからＯｎに変わるタイミングで、自動的にスタンバイモードを解除して起動処理を行う。
【０１４９】
このように、コンテンツ再生装置が有する機能の有効、無効をユーザにより設定することを可能とすることで、ユーザの希望にあわせたコンテンツ再生装置をカスタマイズすることが可能となり、ユーザの利便性が向上する。
【０１５０】
図１３−２は、センサ連動チャプタ管理ファイルに保存されたチャプタ情報を一括、または、一部選択することにより、ユーザがセンサ連動チャプタを削除できる様子を示している。センサ連動チャプタは、例えばユーザ、視聴時間帯、視聴状況等によって作成されるため、他のユーザが使う場合には、有効ではない情報となる場合がある。そのため、他の人が、初めてそのコンテンツを再生する際には、以前に残っているセンサ連動チャプタ情報が不要になるため、消去できるように構成してもよい。一部選択による消去は、ユーザが意図的に記録しておきたくないチャプタなども消すことが可能である。また、センサ連動チャプタ管理ファイルに紐付けされたコンテンツを消去する際には、連動して自動的にセンサ連動チャプタ管理ファイルを消去しても良いし、視聴者の在不在(視聴／非視聴)情報として利用するために、消去しなくても良い。消去せずに他の利用をする例としては、ユーザのテレビ視聴時間や、無駄にテレビを表示している時間などの算出に利用し、それをユーザに提示することで、1日または1週間などある期間のテレビ視聴時間をユーザに提示できたり、無駄にテレビを付けっ放しにしている時間帯や期間をユーザに提示して省エネルギーを促したりすることができる。
【０１５１】
図１４は、本実施例のコンテンツ再生装置での表示の一例を示す図である。
【０１５２】
HDD搭載のテレビ装置を例にすると、例えば、リモコンの所定のボタン（例えば「見る」ボタン等）を操作することで、HDDに録画してあるコンテンツ一覧をサムネイルや番組情報と共に表示することができる。
【０１５３】
その録画コンテンツ一覧において、ユーザがそのコンテンツを視聴したかどうかを、未視聴、視聴済みのマークを付けて表示する（図では、未視聴：未、視聴済み：済と表示）。その場合に、図１４は、視聴済みとなっているコンテンツに対して、さらに、見逃し一覧のアイコンを付加した構成例である。
【０１５４】
見逃し一覧のアイコンを選択すると、コンテンツ再生時に作成したセンサ連動チャプタ管理ファイルを元に、センサ連動チャプタの設定に基づいてユーザが見逃していると予想されるシーンの一覧を表示する。
【０１５５】
再生装置においては、センサ検知有フラグがＯｆｆの時間Ｔを測定しているので、ユーザが見逃してしまったことが予想されるシーンの時間の合計が算出可能である。そこで、コンテンツの全体が４５分間だった場合に、ユーザが見逃していることが予想される時間が算出できる（５分＋３分＋１８分＝２６分）。
【０１５６】
この値から、再生済みコンテンツ（４５分）の未視聴シーン（２６分）の割合を算出できる（約５８％）。これは、逆に視聴済みの割合も算出できることになる（１００％−５８％＝４２％）。これにより、ユーザは、視聴済みのコンテンツの視聴した割合を確認できる。ユーザは、まだ残りの４２％を見たいと感じた際には、再度コンテンツを選択して未視聴シーンを、センサ連動チャプタを利用して効率良く見ることができる。
【０１５７】
また、ユーザが５８％でコンテンツの内容として十分と感じて、コンテンツを消去した場合には、そのユーザにとってあまり有用でないコンテンツと判断できるので、ユーザ嗜好を示す情報としても利用することができる。例えば、１０％程度しか見ていないコンテンツを消去した場合に、そのコンテンツの番組情報に含まれる司会者名、出演者、タイトル、ジャンルなどの情報を利用して、そのキーワードが含まれるコンテンツのユーザ評価値を低下させるなどが考えられる。ここで、ユーザ評価値とは、ユーザが良く見る番組に含まれるキーワードを含むコンテンツには、高い評価値を付けるなどして、コンテンツに付加したユーザの評価値である。
【０１５８】
このように、センサ連動チャプタ情報を利用することにより、コンテンツの未視聴一覧から未視聴シーンを効率良く表示できるのみでなく、ユーザのコンテンツ未視聴割合から、コンテンツのユーザ評価に利用することができる効果もある。
【０１５９】
図１５は、本実施例のコンテンツ再生装置での処理の一例を示す図である。
【０１６０】
本例は、センサ連動チャプタに付加された、チャプタが作成された日時の情報を利用して、センサ連動チャプタの位置を変更する例である。例えば、コンテンツ＃００１は以前にも再生したことがあり、再生中に不在になっており、○年１月２０日夜１０：２８、○年１月２４日夜１１：５６の２箇所にセンサ連動チャプタが作成されている。この場合に、○年１月２６日に再びコンテンツ＃００１を視聴した際には、センサ連動チャプタが作成されてからまだ日が経っていないため、センサ連動チャプタは不在になって作成されたコンテンツ再生位置に存在している。
【０１６１】
その日は、○年１月２０日夜１０：２８に作成された見逃したシーンの再生をしたとする。再生したので、そのセンサ連動チャプタを消去する。この日の再生で、○年１月２４日夜１１：５６に見逃したシーンまでは視聴が完了してない場合には、センサ連動チャプタが残る。
【０１６２】
時間が経過し、○年２月２０日に、再度コンテンツ＃００１を再生し、ユーザが○年１月２４日夜１１：５６に作成されたチャプタを選択した場合に、チャプタが作成された時刻と現再生時刻との差分の大きさによって、記録してあるセンサ連動チャプタ位置よりも前に戻して、再生を始める例である。
【０１６３】
これにより、見逃したシーンの少し前からコンテンツを視聴することができ、時間が経って忘れていた内容を確認して見逃しシーンを視聴することができる。また、記録したセンサ連動チャプタ位置よりも再生開始位置を戻す場合に、戻した位置がＣＭ中だった場合には、ＣＭ終了後のチャプタやＣＭ前のチャプタを利用してＣＭ前よりも所定時間戻った再生位置から再生を開始しても良い。これにより、コンテンツの見逃したシーンを効率良く視聴することができる。
【実施例２】
【０１６４】
以下、第二の実施例を、図１６〜図１９を参照して説明する。
【０１６５】
第一の実施例では、再生中のコンテンツに対して、センサに連動したチャプタを作成することで、ユーザが見逃していた可能性のあるシーンの検索を簡単にすることができた。本実施例は、第一の実施例と同様の装置構成で、個人毎のチャプタのファイル構造を利用することにより、複数人の視聴者に対応できるようにしたものである。
【０１６６】
図１６は、本実施例のコンテンツ再生装置で作成するチャプタのファイル構成の一例を示す図である。
【０１６７】
第一の実施例の図３のファイル構成に準じているが、チャプタ管理ディレクトリ配下の各コンテンツディレクトリ（コンテンツ＃００１、＃００２・・・）の下に、登録したユーザ毎のフォルダを有する。そして、そのフォルダにセンサ連動チャプタ管理ファイルを配置する。
【０１６８】
例えば、父用のフォルダ１６００、その配下にセンサ連動チャプタ管理ファイル１６０１、母用のフォルダ１６０２、その配下にセンサ連動チャプタ管理ファイル１６０３を配置する。また、これを実現するためには、図３の様にセンサとしては、カメラセンサなど個人を特定できるセンサを利用することとなる。カメラセンサを利用し、検知エリア内にいるユーザを顔識別する仕組みが必要になる。
【０１６９】
顔識別技術としては、あらかじめ登録した顔や体格との照合度合いを利用したり、顔の特徴量（目、鼻、口、眉毛、輪郭などの大きさ、位置関係、色）の違いを利用する方法などが考えられる。個人識別をし、個人毎の視聴状況（不在、よそ見、居眠りなど）を検知して、個人毎のセンサ連動チャプタファイルを更新できるファイル構成である。
【０１７０】
さらに、このコンテンツのジャンル情報と、各コンテンツの各個人の未視聴シーン（逆は視聴シーンとなる）から、個人が普段どのようなジャンルのコンテンツをどの程度の時間視聴しているかを算出できることになる。つまり、個人毎のジャンルの視聴割合がわかることとなる。これにより、個人の視聴ジャンルのユーザ評価値として利用でき、番組表や録画コンテンツ群から、お奨めコンテンツを選択する場合に利用できるメリットもある。
【０１７１】
図１７は、本実施例のコンテンツ再生装置での処理の一例を示す図である。例えば、家族３人（父、母、子）で、コンテンツ＃００１を再生して視聴していた場合に、途中で母が炊事のために視聴エリアの外に出た場合に、各人のセンサ検知有フラグは図１７−１の様になる。ここで、父と子は、コンテンツをじっくり視聴しているので、センサ連動チャプタが作成されていない。
【０１７２】
そのため、父と子のセンサ連動チャプタ管理ファイルは更新されない。母のセンサ検知有フラグは、センサ検知エリアを出たタイミングで、センサ検知有フラグがＯｎからＯｆｆに切り替わり、所定時間ａ戻った位置にセンサ連動チャプタが作成される。
【０１７３】
ここで、図１６のファイル構成を利用して、母のセンサ連動チャプタ管理ファイルのみ、センサ連動チャプタが作成される。母が炊事を終えて視聴エリアに戻ってきた際には、「母が席を外したところから再生をし直しますか？」のメッセージを出し、父と子の了承を得られれば、センサ連動チャプタ（母）の位置から再生となる。
【０１７４】
しかし、父と子２人はじっくりとコンテンツを視聴してしまっている状況なので、その様な場合には、「母が席を外したところは、記憶していますので、母一人視聴時に、その位置からコンテンツ再生をお奨めします」という内容のメッセージを表示し、コンテンツ再生を継続することが可能である。
【０１７５】
実際、母のセンサ連動チャプタ管理ファイルには、センサ連動チャプタが記録されているので、その後母のみセンサ検知エリアにいる場合に、センサ連動チャプタに基づき、未視聴の部分のみを視聴することができる。
【０１７６】
また、図１１−２の様に、コンテンツ管理ファイルのコンテンツジャンルを利用した再生方法も考えられる。例えば、母が途中で視聴エリアから外れても、父、子は視聴エリア内にいるので、そのコンテンツの再生を継続してもよいが、コンテンツのジャンルが推理サスペンスの場合には、再生を継続してしまうと、母が視聴エリアに戻ってきた際に、そのコンテンツの結末がわかってしまい、母にとって不都合である。
【０１７７】
よって、例えば再生中のコンテンツのジャンルが所定のジャンル（例えば推理サスペンス）であった場合は、複数のユーザのうち一部のユーザのみが視聴エリアから外れた場合であっても、再生を一時停止等を行う構成にしてもよい。そして、母が視聴エリアに戻ってきたタイミングで、作成したセンサ連動チャプタ（母）からの再生を促すようにしてもよい。
【０１７８】
図１７−２は、この一時停止の期間、父、子は待っていなければならないため、この期間に、現在放送している番組、ＥＰＧ、ＨＤＤ内の他のコンテンツ、ネットコンテンツなどを提示する例である。この場合、センサ連動チャプタ（母）の位置は保存されているため、もし、ユーザが、新たに提示したコンテンツを選択した場合でも、センサ連動チャプタ（母）の位置からの再生をいつでも再開できる。これらにより、ユーザの使い勝手向上を図れる。
【０１７９】
図１８は、本実施例のコンテンツ再生装置での処理の一例を示す図である。
【０１８０】
図１４の見逃し表示と同様の表示方法であるが、個人毎に存在するセンサ連動チャプタ管理ファイルから、各個人毎に見逃したシーンに、登録したユーザの名前などをチャプタ位置に合わせて表示する例である。ユーザは、図１４のようなチャプタ位置のサムネイルのみでなく、誰が見逃したシーンなのかを、そのチャプタに付与されたユーザ名を確認することができる。例えば、子が見ていなかったシーンの検索などがし易いメリットがある。
【０１８１】
図１９は、本実施例のコンテンツ再生装置での表示の一例を示す図である。
【０１８２】
図１９−１は、ユーザがリモコン操作などにより登録した個人情報の一覧である。ユーザを名前やニックネームなどの登録名で登録する。カメラの画像認識処理等で顔識別をする際は、カメラで撮影した顔を登録でき、また、準備してある顔の画像やアバターなどのイラストからユーザを識別する顔を登録することができる。
【０１８３】
また、カメラでユーザを認識している場合に、不在になる直前の顔の画像を保存し、その画像を登録顔画像として採用しても良い。これらは、どちらか一方のみを登録しても良い。また、登録した個人を識別する情報の表示方法を登録することもできる。登録名、登録顔画像のどちらで表示するかを選択できる。
【０１８４】
本例では、父は登録名を「父」と登録し、登録顔は登録していなく、表示方法としては、登録名を選択している。娘（名前：花子）は、登録名を「はなこ」とし、顔も登録し、表示方法としては、登録顔のみ表示する選択をしている。祖父は登録名を「おじいちゃん」とし、顔も登録し、表示方法として登録名と登録顔の両方を表示するように選択している。
【０１８５】
両方表示する場合は、同じ登録名でも、登録顔画像を別のものにしたり、別の登録名で登録顔画像を別のものにすることができる。これらの個人情報は、パスワード付きで登録して、他の別のユーザが変更できないようにしても良い。
【０１８６】
図１９−２は、個人毎のセンサ連動チャプタを利用した例である。登録した表示方法で、個人用のセンサ連動チャプタに情報を表示する。登録した表示方法の通り、父は登録名「父」のみで表示し、花子は登録顔画像のみで表示し、祖父は登録名「おじいちゃん」と登録顔画像との両方で表示している。これにより、そのチャプタのサムネイルも表示するなどして、自分がどのシーンを見逃したかを一目でわかるようにすることができる。
【実施例３】
【０１８７】
以下、第三の実施例を、図２０、図２１を参照して説明する。
【０１８８】
第一、第二の実施例では、コンテンツ再生装置内にあるコンテンツを再生する場合に、センサ連動チャプタを作成することで、ユーザの使い勝手向上が図れるものであった。第三の実施の形態では、本コンテンツ再生装置外にあるコンテンツの再生に対応できるものである。
【０１８９】
図２０は、本実施例の概要の一例を示す図である。
【０１９０】
装置構成は、第一、二の実施例の図１と同様であり、ネットワークコンテンツを入力するため、コンテンツ入力部１０１に有線（例えばEthernet(登録商標)）、または無線（例えばIEEE802.XXに準じたネットワーク規格）からの入力を利用する。
【０１９１】
コンテンツ再生装置は、広域のインターネット２００１に接続されたVOD（Video Oｎ Demand）などのコンテンツサーバ２０００に蓄積されているコンテンツを再生可能である。また家庭内機器を繋ぐネットワーク規格DLNA（Digital Living Network Alliance）などに準じたパソコン（２００２）やレコーダ（２００３）、携帯電話機や携帯ゲーム機などの携帯端末（２００４）、デジタルカメラ（２００５）などが宅内ネットワーク（２００６）経由でコンテンツ再生装置に接続され、コンテンツの受信や再生制御信号をやり取りできる。
【０１９２】
これらのコンテンツをネットワーク経由にて、コンテンツ再生装置で再生する場合には、各機器が持っているコンテンツリストを参照することになる。コンテンツ再生装置は、ネットワークで接続された機器からコンテンツリストを取得して、コンテンツ再生装置内に存在するコンテンツ管理情報、チャプタ管理情報に反映させる。
【０１９３】
ユーザがコンテンツを再生するときには、コンテンツ再生装置に設置したセンサを利用し、第一、二の実施例と同様の方法で、センサ連動チャプタを作成し、各コンテンツにセンサ連動チャプタ管理ファイルを作成する。
【０１９４】
センサ連動チャプタを利用したコンテンツ再生中に発生する、チャプタジャンプや再生、一時停止、停止の再生制御信号は、ネットワークを介して接続された機器に送信する。これにより、再生コンテンツが再生装置外にある場合でも、センサ連動チャプタの作成、それを利用した再生制御が可能である。
【０１９５】
図２１は、本実施例のコンテンツ再生装置で作成するチャプタのファイル構成の一例を示す図である。
【０１９６】
第一の実施例の図３のファイル構成に準じているが、コンテンツ管理ディレクトリ配下にＨＤＤ内のコンテンツファイル（＃００１、＃００２、・・・）と共に、ネットを介して取得したコンテンツリストを配置する（コンテンツリストＡ（２１００）、コンテンツリストＢ（２１０１））。コンテンツ管理ファイル３０１が、コンテンツリストを所有する機器の情報などを管理する。
【０１９７】
これにより、ユーザはＨＤＤ内のコンテンツを選択するのと同じ操作で、ネット上の機器のコンテンツリストを選択することができる。チャプタ管理ディレクトリ３０４配下には、コンテンツ＃００１ディレクトリ（３０５）、コンテンツディレクトリ＃００２（３０８）と同じ階層に、コンテンツリストＡディレクトリ（２１０２）、コンテンツリストＢディレクトリ（２１０７）を配置する。
【０１９８】
各コンテンツリストディレクトリ配下には、コンテンツリスト上のコンテンツのディレクトリ（コンテンツＡ＿＃００１ディレクトリ（２１０３）、コンテンツＡ＿＃００２ディレクトリ（２１０６））を配置する。各コンテンツディレクトリ配下には、チャプタ管理ファイル（２１０４）、センサ連動チャプタ管理ファイル（２１０５）を配置する。
【０１９９】
本ファイル構成により、例えば、ネット上の機器ＡのコンテンツリストＡのコンテンツＡ＿＃００１を再生する場合に、センサ検知エリア内のユーザの視聴状況に応じて、センサ連動チャプタを作成し、センサ連動チャプタ管理ファイル（２１０５）を更新することで、第一、二の実施の形態で説明した、使い勝手の良いコンテンツ再生が可能となる。
【０２００】
ネット上の機器Ａから、コンテンツ再生装置のＨＤＤ内のコンテンツを視聴する際に、機器Ａは、再生するコンテンツのチャプタ管理ファイルやセンサ連動チャプタ管理ファイルを取得することで、以前再生した際のセンサ連動チャプタを利用して、コンテンツを効率良く視聴できる。この際、第二の実施例を組み合わせることで、視聴するユーザのセンサ連動チャプタを利用することも可能である。
【０２０１】
また、機器Ａから、センサ連動チャプタを利用したコンテンツ再生を実施した際には、機器Ａから、コンテンツ再生装置に保存されているセンサ連動チャプタ管理ファイルを更新できるようにしても良い。
【０２０２】
これにより、コンテンツ再生装置で見逃したシーンを他の機器から視聴し、その結果をコンテンツ再生装置に反映して視聴済みのシーンのチャプタを削除できるので、見逃しシーンを探し易くなる。
【０２０３】
上述した実施例は、本発明の説明のための例示であり、本発明の範囲を実施例にのみ限定する趣旨ではない。当業者は、本発明の要旨を逸脱することなしに、他の様々な態様で本発明を実施できる。
【０２０４】
例えば、携帯端末でコンテンツを再生する際に、携帯端末に搭載されたカメラセンサを使い、センサ連動チャプタを作成するなど、本実施の形態を実現しても良い。この場合、例えば、電車で移動中に、携帯電話でコンテンツを再生していた場合に、知り合いに声をかけられ、画面から目を離すなどした際に、センサ連動チャプタが作成でき、後からそのシーンからの再生が容易になるメリットがある。
【０２０５】
また、複数のコンテンツ再生装置から、センサ連動チャプタファイル集計して、コンテンツのユーザ視聴率を算出するサービスなどに利用しても良い。これにより、コンテンツの視聴率調査なども可能である。
【０２０６】
また、コンテンツ再生装置で動作するプログラムは、コンテンツ再生装置内に実装してあっても良いし、記録媒体に記録して提供するようにしても良いし、ネットワークを介してダウンロードして提供するようにしても良い。これら配布形態を限定しないことで、様々な利用形態での提供が可能となり、利用ユーザを増やす効果がある。
【０２０７】
また、実施例においては録画コンテンツの再生を例に処理の説明を行ったが、再生するコンテンツは録画コンテンツに限定されない。インターネット回線を通じたコンテンツの再生や、地上波を利用したサーバ型放送のコンテンツ再生等にも適用可能である。
【符号の説明】
【０２０８】
１００    コンテンツ再生装置
１０１    コンテンツ入力部
１０２    操作部
１０３    情報記憶部
１０４    チャプタ制御部
１０５    タイマ
１０６    映像／音声信号処理部
１０７    再生／記録制御部
１０８    コンテンツ記録部
１０９    センサ制御部
１１０    センサ
１１１    出力制御部
１１２    表示部
３００    コンテンツ管理ディレクトリ
３０１    コンテンツ管理ファイル
３０２    コンテンツ＃００１ファイル
３０３    コンテンツ＃００２ファイル
３０４    チャプタ管理ディレクトリ
３０５    コンテンツ＃００１ディレクトリ
３０６    チャプタ管理ファイル（コンテンツ＃００１用）
３０７    センサ連動チャプタ管理ファイル（コンテンツ＃００１用）
３０８    コンテンツ＃００２ディレクトリ
３０９    チャプタ管理ファイル（コンテンツ＃００２用）
３１０    センサ連動チャプタ管理ファイル（コンテンツ＃００２用）
１６００  父用ディレクトリ
１６０１  父用センサ連動チャプタ管理ファイル
１６０２  母用ディレクトリ
１６０３  母用センサ連動チャプタ管理ファイル
２０００  コンテンツサーバ
２００１  インターネット
２００２  パソコン
２００３  レコーダ
２００４  携帯端末
２００５  カメラ
２００６  宅内ネットワーク
２１００  コンテンツリストＡ
２１０１  コンテンツリストＢ
２１０２  コンテンツリストＡディレクトリ
２１０３  コンテンツＡ_＃００１ディレクトリ
２１０４  チャプタ管理ファイル（コンテンツＡ_＃００１用）
２１０５  センサ連動チャプタ管理ファイル（コンテンツＡ_＃００１用）
２１０６  コンテンツＡ_＃００２ディレクトリ
２１０７  コンテンツリストＢディレクトリ
【図１】
2012029019.tif 000003
【図２】
2012029019.tif 000004
【図３】
2012029019.tif 000005
【図４】
2012029019.tif 000006
【図５】
2012029019.tif 000007
【図６】
2012029019.tif 000008
【図７】
2012029019.tif 000009
【図８】
2012029019.tif 000010
【図９】
2012029019.tif 000011
【図１０】
2012029019.tif 000012
【図１１−１】
2012029019.tif 000013
【図１１−２】
2012029019.tif 000014
【図１２−１】
2012029019.tif 000015
【図１２−２】
2012029019.tif 000016
【図１２−３】
2012029019.tif 000017
【図１２−４】
2012029019.tif 000018
【図１２−５】
2012029019.tif 000019
【図１２−６】
2012029019.tif 000020
【図１３−１】
2012029019.tif 000021
【図１３−２】
2012029019.tif 000022
【図１４】
2012029019.tif 000023
【図１５】
2012029019.tif 000024
【図１６】
2012029019.tif 000025
【図１７−１】
2012029019.tif 000026
【図１７−２】
2012029019.tif 000027
【図１８】
2012029019.tif 000028
【図１９−１】
2012029019.tif 000029
【図１９−２】
2012029019.tif 000030
【図２０】
2012029019.tif 000031
【図２１】
2012029019.tif 000032